(57)【要約】【課題】装置増設に伴う管理者の負担を軽減し、負荷効率を高めること。【解決手段】主アーカイブ装置３００に対して増設された副アーカイブ装置４００１〜４００３からの増設通知により、各副アーカイブ装置に対して、アーカイブ方法に関するポリシを設定するとともに、増設された当該副アーカイブ装置との連携をとり、各副アーカイブ装置にアーカイブされた各アーカイブファイルの所在を一元管理する制御部３０２を備え、制御部３０２は、外部装置としてのサーバ１００１〜１００ｎからアーカイブファイルの検索要求を一括して受け付け、当該アーカイブファイルの所在を検索し、検索結果を当該サーバへ通知する。【選択図】      図１
2005031885.tif 000002
【特許請求の範囲】
【請求項１】
データファイルをアーカイブするアーカイブ装置を管理するためのアーカイブ装置管理プログラムであって、
コンピュータを、
増設された他のアーカイブ装置からの増設通知により、当該アーカイブ装置に対して、アーカイブ方法に関するポリシを設定するポリシ設定手段、
前記増設通知により、増設された当該アーカイブ装置との連携をとり、各アーカイブ装置にアーカイブされた各データファイルの所在を一元管理する管理手段、
外部装置からデータファイルの検索要求を一括して受け付け、当該データファイルの所在を検索し、検索結果を該外部装置へ通知する検索手段、として機能させるためのアーカイブ装置管理プログラム。
【請求項２】
前記コンピュータを、自装置および増設された他のアーカイブ装置のそれぞれの負荷状態をチェックする負荷状態チェック手段、前記負荷状態チェック手段のチェック結果に基づいて、所定以上の高負荷を有するアーカイブ装置が存在する場合、該アーカイブ装置から別のアーカイブ装置へデータファイルを移動させる負荷分散手段、として機能させることを特徴とする請求項１に記載のアーカイブ装置管理プログラム。
【請求項３】
データファイルをアーカイブするアーカイブ装置に適用されるアーカイブ装置管理方法において、
増設された他のアーカイブ装置からの増設通知により、当該アーカイブ装置に対して、アーカイブ方法に関するポリシを設定するポリシ設定工程と、
前記増設通知により、増設された当該アーカイブ装置との連携をとり、各アーカイブ装置にアーカイブされた各データファイルの所在を一元管理する管理工程と、
外部装置からデータファイルの検索要求を一括して受け付け、当該データファイルの所在を検索し、検索結果を該外部装置へ通知する検索工程と、を含むことを特徴とするアーカイブ装置管理方法。
【請求項４】
データファイルをアーカイブするアーカイブ装置において、増設された他のアーカイブ装置からの増設通知により、当該アーカイブ装置に対して、アーカイブ方法に関するポリシを設定するポリシ設定手段と、
前記増設通知により、増設された当該アーカイブ装置との連携をとり、各アーカイブ装置にアーカイブされた各データファイルの所在を一元管理する管理手段と、
外部装置からデータファイルの検索要求を一括して受け付け、当該データファイルの所在を検索し、検索結果を該外部装置へ通知する検索手段と、を備えたことを特徴とするアーカイブ装置。
【請求項５】
自装置および増設された他のアーカイブ装置のそれぞれの負荷状態をチェックする負荷状態チェック手段と、前記負荷状態チェック手段のチェック結果に基づいて、所定以上の高負荷を有するアーカイブ装置が存在する場合、該アーカイブ装置から別のアーカイブ装置へデータファイルを移動させる負荷分散手段と、を備えたことを特徴とする請求項４に記載のアーカイブ装置。
【発明の詳細な説明】
【０００１】
【発明の属する技術分野】
本発明は、アーカイブ装置管理プログラム、アーカイブ装置管理方法およびアーカイブ装置に関するものであり、特に、装置増設に伴う管理者の負担を軽減することができ、負荷効率を高めることができるアーカイブ装置管理プログラム、アーカイブ装置管理方法およびアーカイブ装置に関するものである。
【０００２】
【従来の技術】
従来より、ネットワーク上に点在する大量のファイル（データも含む）をアーカイブし、ユーザ等からの検索要求に応じて任意のファイルを読み出すためのアーカイブ装置が用いられている。ここで、アーカイブは、複数のファイルを一つにまとめて格納し、一元管理することを意味する。
【０００３】
図１２は、従来のアーカイブシステムの構成を示すブロック図である。同図において、サーバ１０１〜１０ｎのそれぞれは、ＬＡＮ（Ｌｏｃａｌ  Ａｒｅａ  Ｎｅｔｗｏｒｋ）２０に接続されており、画像ファイル、テキストファイル、動画ファイル等の各種ファイルを格納するファイルサーバである。
【０００４】
アーカイブ装置３０１は、ＬＡＮ２０に接続されており、所定のポリシに従って、サーバ１０１〜１０ｎから、ポリシに対応するファイルをアーカイブファイルとして取得した後、データベースに格納する機能を備えている。
【０００５】
また、アーカイブ装置３０１は、サーバ１０１〜１０ｎのうちいずれかのサーバ（または図示しないクライアント）からのファイル検索要求に基づいて、アーカイブファイルから所望のファイルを検索し、検索結果を返すという機能も備えている。
【０００６】
ここで、アーカイブ装置３０１においては、日々、アーカイブファイルが蓄積されるため、いずれデータベースの容量が不足する。このような容量不足が生じた場合には、ＬＡＮ２０にアーカイブ装置３０２およびアーカイブ装置３０３が独立的に増設される。
【０００７】
また、増設に伴って、管理者は、アーカイブ装置３０２およびアーカイブ装置３０３に関する増設情報（ネットワークアドレス、装置スペック等）をサーバ１０１〜１０ｎに個別的に設定する。
【０００８】
これにより、サーバ１０１〜１０ｎのそれぞれは、ファイルのアーカイブ先として、アーカイブ装置３０１、アーカイブ装置３０２およびアーカイブ装置３０３という３台のアーカイブ装置を独立的に認識する。
【０００９】
アーカイブ装置の増設後において、サーバ１０１〜１０ｎのそれぞれは、アーカイブ装置３０１、３０２および３０３から、アーカイブファイルの格納情報（ファイル名、格納場所等）を取得し、管理する。
【００１０】
例えば、サーバ１０１は、ファイル検索要求を出す前に、上記格納情報から当該ファイルを格納しているアーカイブ装置（例えば、アーカイブ装置３０２）を認識した後、該アーカイブ装置３０２へファイル検索要求を出す。
【００１１】
【特許文献１】
特開平７−１９１８１１号公報
【特許文献２】
特開２０００−９９３８４号公報
【００１２】
【発明が解決しようとする課題】
ところで、前述したように、従来のアーカイブシステムにおいては、容量不足に伴い、アーカイブ装置（アーカイブ装置３０２、３０３等）を増設する毎に、サーバ１０１〜１０ｎ等に増設情報を個別的に設定しなければならないため、管理者の負担が大きいという問題があった。
【００１３】
また、従来のアーカイブシステムにおいては、アーカイブ装置３０１、３０２および３０３が独立的に存在しているため、装置間の連携が採られていない。従って、従来のアーカイブシステムにおいては、複数のアーカイブ装置のうち特定のアーカイブ装置にアクセスが集中することで高負荷状態となり、負荷効率が低下するという問題もあった。
【００１４】
本発明は、上記に鑑みてなされたもので、装置増設に伴う管理者の負担を軽減することができ、負荷効率を高めることができるアーカイブ装置管理プログラム、アーカイブ装置管理方法およびアーカイブ装置を提供することを目的とする。
【００１５】
【課題を解決するための手段】
上記目的を達成するために、本発明は、データファイルをアーカイブするアーカイブ装置を管理するためのアーカイブ装置管理プログラムであって、コンピュータを、増設された他のアーカイブ装置からの増設通知により、当該アーカイブ装置に対して、アーカイブ方法に関するポリシを設定するポリシ設定手段、前記増設通知により、増設された当該アーカイブ装置との連携をとり、各アーカイブ装置にアーカイブされた各データファイルの所在を一元管理する管理手段、外部装置からデータファイルの検索要求を一括して受け付け、当該データファイルの所在を検索し、検索結果を該外部装置へ通知する検索手段、として機能させるためのアーカイブ装置管理プログラムである。
【００１６】
また、本発明は、データファイルをアーカイブするアーカイブ装置に適用されるアーカイブ装置管理方法において、増設された他のアーカイブ装置からの増設通知により、当該アーカイブ装置に対して、アーカイブ方法に関するポリシを設定するポリシ設定工程と、前記増設通知により、増設された当該アーカイブ装置との連携をとり、各アーカイブ装置にアーカイブされた各データファイルの所在を一元管理する管理工程と、外部装置からデータファイルの検索要求を一括して受け付け、当該データファイルの所在を検索し、検索結果を該外部装置へ通知する検索工程と、を含むことを特徴とする。
【００１７】
また、本発明は、データファイルをアーカイブするアーカイブ装置において、増設された他のアーカイブ装置からの増設通知により、当該アーカイブ装置に対して、アーカイブ方法に関するポリシを設定するポリシ設定手段と、前記増設通知により、増設された当該アーカイブ装置との連携をとり、各アーカイブ装置にアーカイブされた各データファイルの所在を一元管理する管理手段と、外部装置からデータファイルの検索要求を一括して受け付け、当該データファイルの所在を検索し、検索結果を該外部装置へ通知する検索手段と、を備えたことを特徴とする。
【００１８】
かかる発明によれば、増設された他のアーカイブ装置からの増設通知により、当該アーカイブ装置に対して、アーカイブ方法に関するポリシを設定するとともに、各アーカイブ装置にアーカイブされた各データファイルの所在を一元管理し、データファイルの検索要求を一括して受け付け、当該データファイルの所在を検索し、検索結果を該外部装置へ通知することとしたので、従来のように外部装置毎に増設情報を設定する必要が無くなり、装置増設に伴う管理者の負担を軽減することができる。
【００１９】
【発明の実施の形態】
以下、図面を参照して本発明にかかるアーカイブ装置管理プログラム、アーカイブ装置管理方法およびアーカイブ装置の一実施の形態について詳細に説明する。
【００２０】
図１は、本発明にかかる一実施の形態の構成を示すブロック図である。同図には、ＬＡＮ２００上のサーバ１００１〜１００ｎにそれぞれ点在する大量のファイル（データも含む）を主アーカイブ装置３００（増設後は、副アーカイブ装置４００１、４００２、４００３、・・・も含む）にアーカイブし、ユーザ等からの検索要求に応じて任意のファイルを読み出すためのアーカイブシステムが図示されている。
【００２１】
ここで、初期システムにおいては、アーカイブ装置として、主アーカイブ装置３００のみが設けられており、副アーカイブ装置４００１、４００２、４００３、・・・が設けられていないものとする。これらの副アーカイブ装置４００１、４００２、４００３、・・・は、主アーカイブ装置３００の容量不足時に増設されるアーカイブ装置である。
【００２２】
図１において、サーバ１００１〜１００ｎのそれぞれは、ＬＡＮ２００に接続されており、画像ファイル、テキストファイル、動画ファイル等の各種ファイルを格納するファイルサーバである。また、サーバ１００１〜１００ｎのそれぞれは、主アーカイブ装置３００へファイル検索要求を出す機能も備えている。
【００２３】
主アーカイブ装置３００は、所定のポリシに従って、サーバ１００１〜１００ｎから、ポリシに対応するファイルをアーカイブファイルとして取得した後、アーカイブファイルデータベース３５０に格納する機能を備えている。
【００２４】
また、主アーカイブ装置３００は、副アーカイブ装置４００１、４００２、４００３、・・・が増設された場合、各副アーカイブ装置を管理する機能も備えている。管理としては、副アーカイブ装置４００１、４００２、４００３、・・・の負荷管理や、副アーカイブ装置４００１、４００２、４００３、・・・のファイル復旧に関する管理等が挙げられる。
【００２５】
副アーカイブ装置４００１、４００２、４００３、・・・は、主アーカイブ装置３００に対して順次増設されるアーカイブ装置であり、主アーカイブ装置３００の管理下で動作する。
【００２６】
これらの副アーカイブ装置４００１、４００２、４００３、・・・は、主アーカイブ装置３００により設定された所定のポリシに従って、サーバ１００１〜１００ｎから、ポリシに対応するファイルをアーカイブファイルとして取得した後、アーカイブファイルデータベース４３０１、４３０２、・・・にそれぞれ格納する機能を備えている。
【００２７】
バックアップ装置５００は、ＬＡＮ２００に接続されており、主アーカイブ装置３００、副アーカイブ装置４００１、４００２、４００３、・・・のそれぞれに格納されるアーカイブファイルと同一のアーカイブファイルをバックアップとして、テープ５１０１〜５１０ｍのいずれかに格納する装置である。テープ５１０１〜５１０ｍのそれぞれは、二次記録媒体としての磁気テープである。
【００２８】
主アーカイブ装置３００において、通信部３０１は、所定の通信プロトコルに従って、通信を制御する。制御部３０２は、上述したアーカイブファイルの格納や、増設後の副アーカイブ装置４００１、４００２、４００３、・・・の管理に関する各種制御を行う。この制御部３０２の動作の詳細については、後述する。
【００２９】
管理情報データベース３１０は、主アーカイブ装置３００、増設後の副アーカイブ装置４００１、４００２、４００３、・・・を管理するための管理情報を格納するデータベースである。
【００３０】
具体的には、初期システムにおいて、管理情報データベース３１０は、図２（ａ）〜（ｄ）に示したように、「装置名」、「担当ポリシ」および「ポリシ設定優先順位」という項目を備えている。
【００３１】
「装置名」は、アーカイブ装置（主アーカイブ装置３００、副アーカイブ装置４００１、４００２、４００３、・・・）を表す。「担当ポリシ」は、「装置名」に対応するアーカイブ装置が担当すべきポリシを表す。
【００３２】
ここで、ポリシは、ファイルのアーカイブ方法をアーカイブファイル毎に定義するものである。具体的には、各ポリシは、図４に示したポリシ情報３３１１、３３１２、・・・、３３１５により定義されている。
【００３３】
同図において、ポリシ情報３３１１、３３１２、・・・、３３１５は、ポリシ１、ポリシ２、・・・、ポリシ５を定義するための情報である。具体的には、ポリシ情報３３１１は、「ポリシ」、「アーカイブ元サーバ」、「アーカイブ元ディレクトリ」、「ディレクトリ検索範囲」、「アーカイブファイル」、「バックアップタイミング」、「バックアップ媒体」、「バックアップ媒体種別」、「異常時通知先」、・・・という項目を備えている。
【００３４】
「ポリシ」は、ポリシ（同図では、ポリシ１）を表す。「アーカイブ元サーバ」は、アーカイブ対象のファイル（以下、アーカイブファイルという）を元々格納しているサーバ（同図では、サーバ１００１）を表す。「アーカイブ元ディレクトリ」は、当該サーバ１００１でアーカイブファイルが格納されているディレクトリを表す。
【００３５】
「ディレクトリ検索範囲」は、サーバ１００１のディレクトリで当該アーカイブファイルを検索する場合の範囲（同図では、３階層のディレクトリ）を表す。「アーカイブファイル」は、当該アーカイブファイルを表す。
【００３６】
「バックアップタイミング」は、アーカイブファイルをアーカイブ装置（主アーカイブ装置３００等）にアーカイブする場合に、当該アーカイブファイルをバックアップ装置５００にバックアップするタイミングを表す。同図では、アーカイブ装置へのアーカイブと同時のタイミングでバックアップ装置５００にアーカイブファイルがバックアップされる。
【００３７】
「バックアップ媒体」は、バックアップ対象のアーカイブファイルを記録する媒体（同図では、テープ５１０１）を表す。「バックアップ媒体種別」は、「バックアップ媒体」（テープ５１０１）の種別（磁気テープ）を表す。「異常時通知先」は、当該アーカイブファイルに関する各種処理で異常が発生した場合の通知先（例えば、主アーカイブ装置３００の電子メールアドレス）を表す。
【００３８】
なお、ポリシ情報３３１２〜３３１５においても、ポリシ情報３３１１（ポリシ１に対応）と同様にして、ポリシ２〜５が定義されている。
【００３９】
上述したポリシの定義を踏まえて、図２（ａ）は、初期システム（アーカイブ装置が主アーカイブ装置３００のみ）における管理情報データベース３１０を示す図である。
【００４０】
同図において、主アーカイブ装置３００は、ポリシ１〜５の全てを担当している。「ポリシ設定優先順位」は、主アーカイブ装置３００の容量不足により、副アーカイブ装置が増設された場合に、当該副アーカイブ装置へ設定すべきポリシの優先順位を表す。
【００４１】
図２（ｂ）は、主アーカイブ装置３００に対して、副アーカイブ装置４００１が増設された場合の管理情報データベース３１０を示す図である。副アーカイブ装置４００１の「担当ポリシ」には、ポリシ５（図２（ａ）に示したポリシ設定優先順位の最上位）が設定される。
【００４２】
一方、主アーカイブ装置３００側においては、「担当ポリシ」がポリシ１〜５（図２（ａ）参照）からポリシ１〜４（ポリシ５が削除）に更新されるとともに、「ポリシ設定優先順位」がポリシ５〜２（図２（ａ）参照）からポリシ４〜２（ポリシ５が削除）にそれぞれ更新される。
【００４３】
図２（ｃ）は、主アーカイブ装置３００および副アーカイブ装置４００１に対して、さらに副アーカイブ装置４００２が増設された場合の管理情報データベース３１０を示す図である。副アーカイブ装置４００２の「担当ポリシ」には、ポリシ４（図２（ｂ）に示したポリシ設定優先順位の最上位）が設定される。
【００４４】
一方、主アーカイブ装置３００側においては、「担当ポリシ」がポリシ１〜４（図２（ｂ）参照）からポリシ１〜３（ポリシ４が削除）に更新されるとともに、「ポリシ設定優先順位」がポリシ４〜２（図２（ｂ）参照）からポリシ３、２（ポリシ４が削除）にそれぞれ更新される。
【００４５】
図２（ｄ）は、主アーカイブ装置３００、副アーカイブ装置４００１および副アーカイブ装置４００２に対して、さらに副アーカイブ装置４００３が増設された場合の管理情報データベース３１０を示す図である。副アーカイブ装置４００３の「担当ポリシ」には、ポリシ３（図２（ｃ）に示したポリシ設定優先順位の最上位）が設定される。
【００４６】
一方、主アーカイブ装置３００側においては、「担当ポリシ」がポリシ１〜３（図２（ｃ）参照）からポリシ１、２（ポリシ３が削除）に更新されるとともに、「ポリシ設定優先順位」がポリシ３、２（図２（ｃ）参照）からポリシ２（ポリシ３が削除）にそれぞれ更新される。
【００４７】
図１に戻り、プロパティ情報データベース３２０は、アーカイブ対象である各アーカイブファイルのプロパティ情報を格納するデータベースである。具体的には、図３に示したように、プロパティ情報データベース３２０は、プロパティ情報３２１１、３２１２、・・・、３２１ｓを格納している。
【００４８】
プロパティ情報３２１１は、「アーカイブファイルＩＤ」、「アーカイブファイル」、「アーカイブ元サーバ」、「ポリシ」、「格納アーカイブ装置」、「バックアップ媒体」、・・・から構成されている。
【００４９】
「アーカイブファイルＩＤ」は、アーカイブファイルを一意に識別するための識別子である。「アーカイブファイル」は、アーカイブ対象のアーカイブファイルを表し、図４に示した「アーカイブファイル」に対応している。「アーカイブ元サーバ」は、当該アーカイブファイルを元々格納しているサーバ（同図では、サーバ１００１）を表し、図４に示した「アーカイブ元サーバ」に対応している。
【００５０】
「ポリシ」は、当該アーカイブファイルに対応付けられたポリシ（同図では、ポリシ１）を表し、図４に示した「ポリシ」に対応している。「格納アーカイブ装置」は、当該アーカイブファイルを格納するアーカイブ装置（同図では主アーカイブ装置３００）を表す。
【００５１】
「バックアップ媒体」は、当該アーカイブファイルをバックアップ装置５００にバックアップする際のバックアップ先（同図では、テープ５１０１）を表し、図４に示した「バックアップ媒体」に対応している。
【００５２】
プロパティ情報３２１２も、プロパティ情報３２１１と同様にして、「アーカイブファイルＩＤ」（＝００００２）、「アーカイブファイル」（＝ａｂｃ．ｊｐｇ）、「アーカイブ元サーバ」（＝サーバ１００１）、「ポリシ」（＝ポリシ５）、「格納アーカイブ装置」（初期システムでは主アーカイブ装置３００）、「バックアップ媒体」（＝テープ５１０１）、・・・から構成されている。なお、その他のプロパティ情報も同様の構成とされている。
【００５３】
図１に戻り、ポリシ情報データベース３３０は、前述したポリシ情報３３１１〜３３１５（図４参照）を格納するデータベースである。負荷情報データベース３４０は、各アーカイブ装置（主アーカイブ装置３００、副アーカイブ装置４００１、４００２、４００３）の負荷に関する負荷情報を格納するデータベースである。
【００５４】
具体的には、負荷情報データベース３４０は、図５に示した負荷情報３４１０、３４１１、３４１２および３４１３を格納している。負荷情報３４１０は、主アーカイブ装置３００の負荷を表す情報であり、「アーカイブ装置」、「アーカイブファイルＩＤ」、「アクセス数」、「重み」および「負荷値」から構成されている。
【００５５】
「アーカイブ装置」は、当該アーカイブ装置（同図では、主アーカイブ装置３００）を表す。「アーカイブファイルＩＤ」は、当該アーカイブ装置に格納されたアーカイブファイルを一意に識別するための識別子であり、図３に示した「アーカイブファイルＩＤ」に対応している。
【００５６】
「アクセス数」は、当該アーカイブファイルへのアクセス数を表す。「重み」は、後述する負荷値を計算する際に用いられる重み付けのパラメータである。「負荷値」は、当該アーカイブ装置における負荷を定量的に表すパラメータであり、「アーカイブファイルの数」、「アクセス数」および「重み」を乗算した結果である。
【００５７】
負荷情報３４１１は、副アーカイブ装置４００１に対応しており、負荷情報３４１０と同様にして、「アーカイブ装置」（＝副アーカイブ装置４００１）、「アーカイブファイルＩＤ」（＝００００２）、「アクセス数」（＝０ｘ５６０）、「重み」（＝１）および「負荷値」（＝０ｘ５６０）から構成されている。負荷情報３４１２および３４１３は、副アーカイブ装置４００２および４００３に対応しており、負荷情報３４１０と同様の構成とされている。
【００５８】
図１に戻り、アーカイブファイルデータベース３５０は、ポリシに従って、サーバ１００１〜１００ｎのうちいずれかのサーバから取得された各アーカイブファイルを格納するデータベースである。
【００５９】
副アーカイブ装置４００１において、通信部４０１１は、所定の通信プロトコルに従って、通信を制御する。制御部４０２１は、上述したアーカイブファイルの格納や、負荷情報３４１１（図５参照）の作成、ポリシ情報の設定等に関する制御を行う。この制御部４０２１の動作の詳細については、後述する。
【００６０】
ポリシ情報データベース４１０１は、主アーカイブ装置３００からのポリシ情報（例えば、ポリシ情報３３１５（図４参照））を格納するデータベースである。負荷情報データベース４２０１は、制御部４０２１で作成された負荷情報３４１１（図５参照）を格納するデータベースである。
【００６１】
アーカイブファイルデータベース４３０１は、ポリシ情報データベース４１０１に格納されたポリシ情報３３１５（図４参照）に対応するポリシに従って、サーバ１００１〜１００ｎのうちいずれかのサーバから取得された各アーカイブファイルを格納するデータベースである。
【００６２】
副アーカイブ装置４００２において、通信部４０１２は、所定の通信プロトコルに従って、通信を制御する。制御部４０２２は、上述したアーカイブファイルの格納や、負荷情報３４１２（図５参照）の作成、ポリシ情報の設定等に関する制御を行う。この制御部４０２２の動作の詳細については、後述する。
【００６３】
ポリシ情報データベース４１０２は、主アーカイブ装置３００からのポリシ情報（例えば、ポリシ情報３３１４（図４参照））を格納するデータベースである。負荷情報データベース４２０２は、制御部４０２２で作成された負荷情報３４１２（図５参照）を格納するデータベースである。
【００６４】
アーカイブファイルデータベース４３０２は、ポリシ情報データベース４１０２に格納されたポリシ情報３３１４（図４参照）に対応するポリシに従って、サーバ１００１〜１００ｎのうちいずれかのサーバから取得された各アーカイブファイルを格納するデータベースである。副アーカイブ装置４００３は、上述した副アーカイブ装置４００１と同様の構成とされている。
【００６５】
つぎに、一実施の形態の動作について、図６〜図１０を参照しつつ説明する。以下では、初期システムの主アーカイブ装置３００に対して、副アーカイブ装置４００１〜４００３を増設した場合の増設時動作と、アーカイブ装置間で負荷分散を行うための負荷分散動作と、アーカイブ装置でアーカイブファイルの異常（破壊等）が発生した場合に当該アーカイブファイルを復旧させるためのファイル復旧動作について説明する。
【００６６】
（増設時動作）
はじめに、増設時動作について、図６および図７を参照して説明する。アーカイブ装置として主アーカイブ装置３００のみがＬＡＮ２００に接続された初期システムにおいて、副アーカイブ装置４００１がＬＡＮ２００に接続され、増設されると、図６に示したステップＳＡ１では、副アーカイブ装置４００１の制御部４０２１は、主アーカイブ装置３００へ増設通知を出す。
【００６７】
ステップＳＡ２では、主アーカイブ装置３００の制御部３０２は、増設通知を受けて、増設された副アーカイブ装置４００１を認識する。ステップＳＡ３では、制御部３０２は、当該副アーカイブ装置４００１に設定すべきポリシを選択するためのポリシ選択処理を実行する。
【００６８】
具体的には、図７に示したステップＳＢ１では、制御部３０２は、増設の要因が、主アーカイブ装置３００の容量不足であるか否かを判断する。容量不足が要因である場合、制御部３０２は、ステップＳＢ１の判断結果を「Ｙｅｓ」とする。ステップＳＢ２では、制御部３０２は、ポリシ１〜５から、容量不足用として予め決められたポリシを選択する。
【００６９】
この場合、ステップＳＢ１の判断結果が「Ｎｏ」であるとすると、ステップＳＢ３では、制御部３０２は、図２（ａ）に示した管理情報データベース３１０の「ポリシ設定優先順位」に基づいて、ポリシ５を選択する。
【００７０】
図６に戻り、ステップＳＡ４では、主アーカイブ装置３００の制御部３０２は、ポリシ情報を副アーカイブ装置４００１へ送信する。具体的には、制御部３０２は、ポリシ情報データベース３３０（図４参照）から、ステップＳＢ３で選択されたポリシ５（またはステップＳＢ２で選択されたポリシ）に対応するポリシ情報３３１５を読み出した後、ポリシ情報３３１５を副アーカイブ装置４００１へ送信する。
【００７１】
ステップＳＡ５では、副アーカイブ装置４００１の制御部４０２１は、ポリシ情報３３１５を受信した後、ポリシ情報データベース４１０１に格納する。これにより、副アーカイブ装置４００１においては、ポリシ情報３３１５の設定が終了する。ステップＳＡ６では、制御部４０２１は、上記設定が完了した旨を主アーカイブ装置３００へ通知する。
【００７２】
ステップＳＡ７では、主アーカイブ装置３００の制御部３０２は、副アーカイブ装置４００１へのポリシ情報３３１５の設定完了に伴って、管理情報データベース３１０およびプロパティ情報データベース３２０を更新する。
【００７３】
具体的には、制御部３０２は、図２（ａ）に示した管理情報データベース３１０を、図２（ｂ）に示した管理情報データベース３１０に更新する。また、制御部３０２は、図３に示したプロパティ情報３２１２（副アーカイブ装置４００１に設定されたポリシ５に対応）における「格納アーカイブ装置」を主アーカイブ装置３００から副アーカイブ装置４００１に更新する。
【００７４】
そして、図６に示したステップＳＡ８では、副アーカイブ装置４００１の制御部４０２１は、ポリシ情報データベース４１０１に格納されたポリシ情報３３１５（図４参照）に従って、例えば、サーバ１００１からａｂｃ．ｊｐｇというアーカイブファイルを取得する。ステップＳＡ９では、制御部４０２１は、ステップＳＡ８で取得したアーカイブファイルをアーカイブファイルデータベース４３０１に格納する。
【００７５】
ステップＳＡ１０では、副アーカイブ装置４００１の制御部４０２１は、ポリシ情報３３１５に従って、ステップＳＡ８で取得したアーカイブファイルを、例えば、バックアップ装置５００のテープ５１０１にバックアップする。
【００７６】
また、副アーカイブ装置４００１に続いて、副アーカイブ装置４００２および副アーカイブ装置４００３が順次増設されると、上述したステップＳＡ１〜ステップＳＡ１０が実行される。これにより、管理情報データベース３１０は、図２（ｄ）に示したように更新される。
【００７７】
そして、図６に示したステップＳＡ１１で、例えば、アーカイブファイルデータベース４３０１に格納されている上記ａｂｃ．ｊｐｇというアーカイブファイルをオープンするというタスクがサーバ１００１で実行されると、ステップＳＡ１２では、サーバ１００１は、主アーカイブ装置３００に対して、当該アーカイブファイル（ａｂｃ．ｊｐｇ）を検索するための検索要求を出す。
【００７８】
ステップＳＡ１３では、主アーカイブ装置３００の制御部３０２は、ａｂｃ．ｊｐｇをキーとして、プロパティ情報データベース３２０から、当該アーカイブファイルの格納場所を検索する。この場合の検索結果は、プロパティ情報３２１２の「格納アーカイブ装置」の副アーカイブ装置４００１である。
【００７９】
ステップＳＡ１４では、制御部３０２は、検索の要求元であるサーバ１００１へ格納場所（副アーカイブ装置４００１のアドレス等）を通知する。これにより、ステップＳＡ１５では、サーバ１００１は、副アーカイブ装置４００１にアクセスし、副アーカイブ装置４００１から当該アーカイブファイルをリードする。
【００８０】
（負荷分散動作）
つぎに、一実施の形態における負荷分散動作について、図８および図９を参照して説明する。この負荷分散動作は、タイマスケジュールにより定期的に行われる。
【００８１】
図８に示したステップＳＣ１では、主アーカイブ装置３００の制御部３０２は、増設された副アーカイブ装置４００１〜４００３のそれぞれに負荷値計算を依頼する。
【００８２】
ステップＳＣ２では、副アーカイブ装置４００１の制御部４０２１は、アーカイブファイルデータベース４３０１に格納されているアーカイブファイルの数、アクセス数および重みを乗算し、副アーカイブ装置４００１の負荷値を計算する。ステップＳＣ３では、制御部４０２１は、ステップＳＣ２の計算結果に基づいて、負荷情報３４１１（図５参照）を作成する。
【００８３】
また、副アーカイブ装置４００２の制御部４０２２は、ステップＳＣ２で、アーカイブファイルデータベース４３０２に格納されているアーカイブファイルの数、アクセス数および重みを乗算し、副アーカイブ装置４００２の負荷値を計算する。ステップＳＣ３では、制御部４０２２は、ステップＳＣ２の計算結果に基づいて、負荷情報３４１２（図５参照）を作成する。
【００８４】
また、副アーカイブ装置４００３は、上述と同様にして、ステップＳＣ２で、副アーカイブ装置４００３の負荷値を計算する。ステップＳＣ３では、副アーカイブ装置４００３は、ステップＳＣ２の計算結果に基づいて、負荷情報３４１３（図５参照）を作成する。
【００８５】
一方、主アーカイブ装置３００の制御部３０２は、ステップＳＣ４で、アーカイブファイルデータベース３５０に格納されているアーカイブファイルの数、アクセス数および重みを乗算し、主アーカイブ装置３００の負荷値を計算する。ステップＳＣ５では、制御部３０２は、ステップＳＣ４の計算結果に基づいて、負荷情報３４１０（図５参照）を作成する。
【００８６】
ステップＳＣ６では、主アーカイブ装置３００の制御部３０２は、副アーカイブ装置４００１〜４００３から負荷情報３４１１〜３４１３（図５参照）を収集する。ステップＳＣ７では、制御部３０２は、ステップＳＣ５で作成された負荷情報３４１０、ステップＳＣ６で収集された負荷情報３４１１〜３４１３を負荷情報データベース３４０（図５参照）に格納する。
【００８７】
ステップＳＣ８では、制御部３０２は、負荷情報３４１０〜３４１３の負荷値を集計し、合計負荷値を計算する。ステップＳＣ９では、制御部３０２は、合計負荷値を、アーカイブ装置の台数（この場合、４台）で除算し、負荷平均値を計算する。
【００８８】
ステップＳＣ１０では、制御部３０２は、負荷平均値と各負荷値とを比較し、負荷値に偏りがあるか否かを判断する。ここでいう偏りとは、平均負荷値に対して所定値以上の負荷値である場合や、逆に平均負荷値に対して所定値以下の負荷値である場合をいう。
【００８９】
ステップＳＣ１０の判断結果が「Ｎｏ」である場合、制御部３０２は、各アーカイブ装置が適正な負荷値で運用されており、正常として、一連の動作を終了する。
【００９０】
一方、ステップＳＣ１０の判断結果が「Ｙｅｓ」である場合、図９に示したステップＳＣ１１では、高負荷装置の負荷値と低負荷装置の負荷値との差分を計算する。
【００９１】
ここで、高負荷装置は、主アーカイブ装置３００、副アーカイブ装置４００１〜４００３のうち最も負荷値が高い装置であり、例えば、副アーカイブ装置４００１である。また、低負荷装置は、主アーカイブ装置３００、副アーカイブ装置４００１〜４００３のうち最も負荷値が低い装置であり、例えば、副アーカイブ装置４００２である。
【００９２】
ステップＳＣ１２では、制御部３０２は、高負荷装置（副アーカイブ装置４００１）に格納されたアーカイブファイルを低負荷装置（副アーカイブ装置４００２）に移動させて、負荷分散を図るべく、移動対象のアーカイブファイルを決定する。
【００９３】
この場合、制御部３０２は、高負荷装置（副アーカイブ装置４００１）に対応する負荷情報３４１１（図５参照）に基づいて、アーカイブファイルＩＤ（＝００００２）に対応するアーカイブファイルを移動対象のアーカイブファイルとして決定する。
【００９４】
ステップＳＣ１３では、制御部３０２は、高負荷装置（副アーカイブ装置４００１）および低負荷装置（副アーカイブ装置４００２）に対して、装置間での上記アーカイブファイルの移動を依頼する。
【００９５】
ステップＳＣ１４では、制御部３０２は、当該アーカイブファイルの移動が完了したか否かを判断し、この場合、判断結果を「Ｎｏ」として、同判断を繰り返す。
【００９６】
ステップＳＣ１５では、高負荷装置（副アーカイブ装置４００１）は、ステップＳＣ１３での依頼を受けて、当該アーカイブファイルを低負荷装置（副アーカイブ装置４００２）へ移動させる。これにより、高負荷装置の負荷が軽減される。
【００９７】
ステップＳＣ１６では、高負荷装置（副アーカイブ装置４００１）および低負荷装置（副アーカイブ装置４００２）は、アーカイブファイルの移動に伴って、負荷情報データベース４２０１、負荷情報データベース４２０２等を更新する。
【００９８】
ステップＳＣ１７では、副アーカイブ装置４００１の制御部４０２１は、アーカイブファイルの移動が完了した旨を主アーカイブ装置３００へ通知する。これにより、主アーカイブ装置３００の制御部３０２は、ステップＳＣ１４の判断結果を「Ｙｅｓ」とする。
【００９９】
ステップＳＣ１８では、制御部３０２は、当該アーカイブファイルの移動に伴って、プロパティ情報データベース３２０、負荷情報データベース３４０等を更新する。ステップＳＣ１９では、制御部３０２は、移動対象の全アーカイブファイルの移動が完了したか否かを判断し、この場合、判断結果を「Ｙｅｓ」とし、一連の負荷分散動作を終了させる。なお、ステップＳＣ１９の判断結果が「Ｎｏ」である場合、ステップＳＣ１３〜ステップＳＣ１８が繰り返される。
【０１００】
（ファイル復旧動作）
つぎに、一実施の形態におけるファイル復旧動作について、図１０を参照して説明する。このファイル復旧動作も、前述した負荷分散動作と同様にして、タイマスケジュールにより定期的に行われる。
【０１０１】
同図に示したステップＳＤ１では、主アーカイブ装置３００の制御部３０２は、副アーカイブ装置４００１〜４００３のそれぞれにアーカイブファイルの正常性をチェックするためのファイルチェックを依頼する。
【０１０２】
ステップＳＤ２では、副アーカイブ装置４００１〜４００３のそれぞれでは、各アーカイブファールデータベースに格納されているアーカイブファイルの正常性をチェックする。ステップＳＤ３では、副アーカイブ装置４００１〜４００３のそれぞれは、ファイルチェック結果（アーカイブファイルＩＤ、正常ステータスまたは異常ステータス）を主アーカイブ装置３００へ通知する。
【０１０３】
この場合、副アーカイブ装置４００１のアーカイブファイルデータベース４３０１に格納されているアーカイブファイルが破損しているものとし、副アーカイブ装置４００１は、ファイルチェック結果を異常として、主アーカイブ装置３００へ通知する。
【０１０４】
ステップＳＤ４では、主アーカイブ装置３００の制御部３０２は、アーカイブファイルデータベース３５０に格納されているアーカイブファイルの正常性をチェックする。ステップＳＤ５では、主アーカイブ装置３００の制御部３０２は、ステップＳＤ３で通知された各ファイルチェック結果、ステップＳＤ４でのファイルチェック結果で異常があるか否かを判断する。
【０１０５】
この場合、副アーカイブ装置４００１から通知されたファイルチェック結果が異常であるため、制御部３０２は、ステップＳＤ５の判断結果を「Ｙｅｓ」とする。なお、ステップＳＤ５の判断結果が「Ｎｏ」である場合、制御部３０２は、一連のファイル復旧動作を終了する。
【０１０６】
ステップＳＤ６では、制御部３０２は、副アーカイブ装置４００１から通知されたファイルチェック結果（異常ステータス）のアーカイブファイルＩＤをキーとして、プロパティ情報データベース３２０（図３参照）から、破損した当該アーカイブファイルを格納しているバックアップ媒体としてテープ５１０１を検索する。
【０１０７】
ステップＳＤ７では、制御部３０２は、バックアップ装置５００へアクセスし、テープ５１０１からバックアップ用の当該アーカイブファイルを取得する。ステップＳＤ８では、制御部３０２は、当該副アーカイブ装置４００１にアクセスし、取得したアーカイブファイルをアーカイブファイルデータベース４３０１に再格納する。
【０１０８】
これにより、破損したアーカイブファイルが、バックアップ用のアーカイブファイルに置き換えられ、アーカイブファイルが復旧する。ステップＳＤ９では、制御部３０２は、破損した全アーカイブファイルが復旧したか否かを判断し、この場合、判断結果を「Ｙｅｓ」とし、一連のファイル復旧動作を終了させる。なお、ステップＳＤ９の判断結果が「Ｎｏ」である場合、ステップＳＤ６〜ステップＳＤ８が繰り返される。
【０１０９】
以上説明したように、一実施の形態によれば、増設された他の副アーカイブ装置４００１〜４００３からの増設通知により、当該副アーカイブ装置４００１〜４００３に対して、アーカイブ方法に関するポリシを設定するとともに、各副アーカイブ装置４００１〜４００３にアーカイブされた各アーカイブファイルの所在を一元管理し、サーバ１００１〜１００ｎからのアーカイブファイルの検索要求を一括して受け付け、当該アーカイブファイルの所在を検索し、検索結果を当該サーバへ通知することとしたので、従来のようにサーバ毎に増設情報を設定する必要が無くなり、装置増設に伴う管理者の負担を軽減することができる。
【０１１０】
また、一実施の形態によれば、自装置（主アーカイブ装置３００）および増設された他の副アーカイブ装置４００１〜４００３のそれぞれの負荷値（負荷状態）をチェックし、所定以上の高負荷を有するアーカイブ装置が存在する場合、該副アーカイブ装置から別のアーカイブ装置へアーカイブファイルを移動させることとしたので、装置増設に伴う管理者の負担を軽減することができるとともに、負荷効率を高めることができる。
【０１１１】
また、一実施の形態によれば、別のアーカイブ装置を、最も低い負荷を有するアーカイブ装置としたので、アーカイブ装置間の負荷のばらつきを抑え、さらに負荷効率を高めることができる。
【０１１２】
また、一実施の形態によれば、アーカイブファイルがアーカイブされる際に、該アーカイブファイルをバックアップ装置５００に退避させ、自装置（主アーカイブ装置３００）または増設された他の副アーカイブ装置４００１〜４００３に異常なアーカイブファイルが存在する場合、バックアップ装置５００から正常な当該アーカイブファイルを取得し、異常なアーカイブファイルを正常なアーカイブファイルに置き換えることとしたので、装置増設に伴う管理者の負担を軽減することができるとともに、アーカイブファイルの信頼性を高めることができる。
【０１１３】
以上本発明にかかる一実施の形態について図面を参照して詳述してきたが、具体的な構成例はこの一実施の形態に限られるものではなく、本発明の要旨を逸脱しない範囲の設計変更等があっても本発明に含まれる。
【０１１４】
例えば、前述した一実施の形態においては、主アーカイブ装置３００、副アーカイブ装置４００１、４００２、４００３の各機能を実現するためのプログラムを図１１に示したコンピュータ読み取り可能な記録媒体７００に記録して、この記録媒体７００に記録されたプログラムを同図に示したコンピュータ６００に読み込ませ、実行することにより各機能を実現してもよい。
【０１１５】
同図に示したコンピュータ６００は、上記プログラムを実行するＣＰＵ（Ｃｅｎｔｒａｌ  Ｐｒｏｃｅｓｓｉｎｇ  Ｕｎｉｔ）６１０と、キーボード、マウス等の入力装置６２０と、各種データを記憶するＲＯＭ（Ｒｅａｄ  Ｏｎｌｙ  Ｍｅｍｏｒｙ）６３０と、演算パラメータ等を記憶するＲＡＭ（Ｒａｎｄｏｍ  Ａｃｃｅｓｓ  Ｍｅｍｏｒｙ）６４０と、記録媒体７００からプログラムを読み取る読取装置６５０と、ディスプレイ、プリンタ等の出力装置６６０と、装置各部を接続するバス６７０とから構成されている。
【０１１６】
ＣＰＵ６１０は、読取装置６５０を経由して記録媒体７００に記録されているプログラムを読み込んだ後、プログラムを実行することにより、前述した機能を実現する。なお、記録媒体７００としては、光ディスク、フレキシブルディスク、ハードディスク等が挙げられる。
【０１１７】
（付記１）データファイルをアーカイブするアーカイブ装置を管理するためのアーカイブ装置管理プログラムであって、
コンピュータを、
増設された他のアーカイブ装置からの増設通知により、当該アーカイブ装置に対して、アーカイブ方法に関するポリシを設定するポリシ設定手段、
前記増設通知により、増設された当該アーカイブ装置との連携をとり、各アーカイブ装置にアーカイブされた各データファイルの所在を一元管理する管理手段、
外部装置からデータファイルの検索要求を一括して受け付け、当該データファイルの所在を検索し、検索結果を該外部装置へ通知する検索手段、として機能させるためのアーカイブ装置管理プログラム。
【０１１８】
（付記２）前記コンピュータを、自装置および増設された他のアーカイブ装置のそれぞれの負荷状態をチェックする負荷状態チェック手段、前記負荷状態チェック手段のチェック結果に基づいて、所定以上の高負荷を有するアーカイブ装置が存在する場合、該アーカイブ装置から別のアーカイブ装置へデータファイルを移動させる負荷分散手段、として機能させることを特徴とする付記１に記載のアーカイブ装置管理プログラム。
【０１１９】
（付記３）前記別のアーカイブ装置は、最も低い負荷を有するアーカイブ装置であることを特徴とする付記２に記載のアーカイブ装置管理プログラム。
【０１２０】
（付記４）前記コンピュータを、前記データファイルがアーカイブされる際に、該データファイルをバックアップ装置に退避させるバックアップ手段、自装置および増設された他のアーカイブ装置のデータファイルの正常性をチェックする正常性チェック手段、前記正常性チェック手段のチェック結果に基づいて、異常なデータファイルが存在する場合、前記バックアップ装置から正常な当該データファイルを取得し、前記異常なデータファイルを前記正常なデータファイルに置き換えるファイル復旧手段、として機能させることを特徴とする付記１〜３のいずれか一つに記載のアーカイブ装置管理プログラム。
【０１２１】
（付記５）データファイルをアーカイブするアーカイブ装置に適用されるアーカイブ装置管理方法において、
増設された他のアーカイブ装置からの増設通知により、当該アーカイブ装置に対して、アーカイブ方法に関するポリシを設定するポリシ設定工程と、
前記増設通知により、増設された当該アーカイブ装置との連携をとり、各アーカイブ装置にアーカイブされた各データファイルの所在を一元管理する管理工程と、
外部装置からデータファイルの検索要求を一括して受け付け、当該データファイルの所在を検索し、検索結果を該外部装置へ通知する検索工程と、を含むことを特徴とするアーカイブ装置管理方法。
【０１２２】
（付記６）自装置および増設された他のアーカイブ装置のそれぞれの負荷状態をチェックする負荷状態チェック工程と、前記負荷状態チェック工程のチェック結果に基づいて、所定以上の高負荷を有するアーカイブ装置が存在する場合、該アーカイブ装置から別のアーカイブ装置へデータファイルを移動させる負荷分散工程と、を含むことを特徴とする付記５に記載のアーカイブ装置管理方法。
【０１２３】
（付記７）前記別のアーカイブ装置は、最も低い負荷を有するアーカイブ装置であることを特徴とする付記６に記載のアーカイブ装置管理方法。
【０１２４】
（付記８）前記データファイルがアーカイブされる際に、該データファイルをバックアップ装置に退避させるバックアップ工程と、自装置および増設された他のアーカイブ装置のデータファイルの正常性をチェックする正常性チェック工程と、前記正常性チェック工程のチェック結果に基づいて、異常なデータファイルが存在する場合、前記バックアップ装置から正常な当該データファイルを取得し、前記異常なデータファイルを前記正常なデータファイルに置き換えるファイル復旧工程と、を含むことを特徴とする付記５〜７のいずれか一つに記載のアーカイブ装置管理方法。
【０１２５】
（付記９）データファイルをアーカイブするアーカイブ装置において、
増設された他のアーカイブ装置からの増設通知により、当該アーカイブ装置に対して、アーカイブ方法に関するポリシを設定するポリシ設定手段と、
前記増設通知により、増設された当該アーカイブ装置との連携をとり、各アーカイブ装置にアーカイブされた各データファイルの所在を一元管理する管理手段と、
外部装置からデータファイルの検索要求を一括して受け付け、当該データファイルの所在を検索し、検索結果を該外部装置へ通知する検索手段と、を備えたことを特徴とするアーカイブ装置。
【０１２６】
（付記１０）自装置および増設された他のアーカイブ装置のそれぞれの負荷状態をチェックする負荷状態チェック手段と、前記負荷状態チェック手段のチェック結果に基づいて、所定以上の高負荷を有するアーカイブ装置が存在する場合、該アーカイブ装置から別のアーカイブ装置へデータファイルを移動させる負荷分散手段と、を備えたことを特徴とする付記９に記載のアーカイブ装置。
【０１２７】
（付記１１）前記別のアーカイブ装置は、最も低い負荷を有するアーカイブ装置であることを特徴とする付記１０に記載のアーカイブ装置。
【０１２８】
（付記１２）前記データファイルがアーカイブされる際に、該データファイルをバックアップ装置に退避させるバックアップ手段と、自装置および増設された他のアーカイブ装置のデータファイルの正常性をチェックする正常性チェック手段と、前記正常性チェック手段のチェック結果に基づいて、異常なデータファイルが存在する場合、前記バックアップ装置から正常な当該データファイルを取得し、前記異常なデータファイルを前記正常なデータファイルに置き換えるファイル復旧手段と、を備えたことを特徴とする付記９〜１１のいずれか一つに記載のアーカイブ装置。
【０１２９】
【発明の効果】
以上説明したように、本発明によれば、増設された他のアーカイブ装置からの増設通知により、当該アーカイブ装置に対して、アーカイブ方法に関するポリシを設定するとともに、各アーカイブ装置にアーカイブされた各データファイルの所在を一元管理し、データファイルの検索要求を一括して受け付け、当該データファイルの所在を検索し、検索結果を該外部装置へ通知することとしたので、従来のように外部装置毎に増設情報を設定する必要が無くなり、装置増設に伴う管理者の負担を軽減することができるという効果を奏する。
【０１３０】
また、本発明によれば、自装置および増設された他のアーカイブ装置のそれぞれの負荷状態をチェックし、所定以上の高負荷を有するアーカイブ装置が存在する場合、該アーカイブ装置から別のアーカイブ装置へデータファイルを移動させることとしたので、装置増設に伴う管理者の負担を軽減することができるとともに、負荷効率を高めることができるという効果を奏する。
【図面の簡単な説明】
【図１】本発明にかかる一実施の形態の構成を示すブロック図である。
【図２】図１に示した管理情報データベース３１０を示す図である。
【図３】図１に示したプロパティ情報データベース３２０を示す図である。
【図４】図１に示したポリシ情報データベース３３０を示す図である。
【図５】図１に示した負荷情報データベース３４０を示す図である。
【図６】同一実施の形態における増設時動作を説明する図である。
【図７】図６に示したポリシ選択処理を説明するフローチャートである。
【図８】同一実施の形態における負荷分散動作を説明する図である。
【図９】同一実施の形態における負荷分散動作を説明する図である。
【図１０】同一実施の形態におけるファイル復旧動作を説明する図である。
【図１１】同一実施の形態の変形例の構成を示すブロック図である。
【図１２】従来のアーカイブシステムの構成を示すブロック図である。
【符号の説明】
１００１〜１００ｎ  サーバ
２００  ＬＡＮ
３００  主アーカイブ装置
３０２  制御部
３１０  管理情報データベース
３２０  プロパティ情報データベース
３３０  ポリシ情報データベース
３４０  負荷情報データベース
３５０  アーカイブファイルデータベース
４００１〜４００３  副アーカイブ装置
４０２１、４０２２  制御部
４１０１、４１０２  ポリシ情報データベース
４２０１、４２０２  負荷情報データベース
４３０１、４３０２  アーカイブファイルデータベース
５００  バックアップ装置
【図１】
2005031885.tif 000003
【図２】
2005031885.tif 000004
【図３】
2005031885.tif 000005
【図４】
2005031885.tif 000006
【図５】
2005031885.tif 000007
【図６】
2005031885.tif 000008
【図７】
2005031885.tif 000009
【図８】
2005031885.tif 000010
【図９】
2005031885.tif 000011
【図１０】
2005031885.tif 000012
【図１１】
2005031885.tif 000013
【図１２】
2005031885.tif 000014